【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介してサーバから配信された試験コンテンツデータに対応して入力され
た解答に基づいて、解答コンテンツデータを作成する解答コンテンツデータ作成手段を備え、
前記サーバは、
抽出された受験者の個人情報及び受験者が受験する試験を特定するための情報を記憶する手段と、
受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む試験コンテンツデータを、ネットワークを介して受験端末に配信する試験コンテンツデータ配信手段と、
受験端末で作成された解答コンテンツデータを、ネットワークを介して受験端末から集信する解答コンテンツデータ集信手段と、
前記集信した解答コンテンツデータを、ネットワークを介して採点のために配信する解答コンテンツデータ配信手段と、
受験者データベースに記憶されている全受験者の氏名，住所，電子メールアドレス等の個人情報と、受験する試験の種類を特定する情報とを、演算処理して受験者及び試験の種類を特定する手段とを備え、
前記試験管理サーバは、
試験管理をするサーバであって、
試験コンテンツデータベースに記憶されている試験コンテンツデータを、前記試験の種類の条件に基いて、演算処理して受験端末に配信する試験コンテンツデータを抽出する試験コンテンツデータ抽出手段と、
試験コンテンツデータを、ネットワークを介して受験端末に配信する前記試験コンテンツデータ配信手段と、
サーバにより作成された採点コンテンツデータを受験者に提供する採点コンテンツデータ配信手段とを備え、
前記採点サーバは、
採点をするサーバであって、
ネットワークを介して受験端末から集信した、画像データを含む解答コンテンツデータを表示する解答コンテンツデータ表示手段と、
前記画像データを含む解答コンテンツデータと、前記試験コンテンツデータの画像データを含む解答データとに基づいて採点処理が行われ、取得された採点結果によって採点コンテンツデータを作成する採点コンテンツデータ作成手段とを備える、
オンライン試験システム。
【請求項２】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介して受験会場サーバから配信された試験コンテンツデータに対応して入力された解答に基づいて、解答コンテンツデータを作成する解答コンテンツデータ作成手段を備え、
前記受験会場サーバは、
受験会場毎に設置され、
ネットワークを介して、受験端末と、試験管理サーバ及び／又は採点サーバと接続され、
受験会場毎に抽出された受験者の個人情報及び受験会場で実施される受験者が受験する試験を特定するための情報を記憶する手段と、
受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む試験コンテンツデータを、ネットワークを介して受験端末に配信する問題コンテンツデータ配信手段と、
受験端末で作成された解答コンテンツデータを、ネットワークを介して受験端末から集信する解答コンテンツデータ集信手段と、
前記集信した解答コンテンツデータを、ネットワークを介して採点サーバに配信する解答コンテンツデータ配信手段とを備え、
前記試験管理サーバは、
受験者データベースに記憶されている全受験者の氏名，住所，電子メールアドレス等の個人情報と、受験する試験の種類を特定する情報とを、演算処理して受験者及び試験の種類を特定する手段と、
試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、
試験コンテンツデータを、ネットワークを介して受験会場サーバに配信する試験コンテンツデータ配信手段と、
採点サーバにより作成された採点コンテンツデータを受験者に提供する採点コンテンツデータ配信手段とを備え、
前記採点サーバは、
ネットワークを介して受験会場サーバから集信した、画像データを含む解答コンテンツデータと、前記試験コンテンツデータの画像データを含む解答データとに基づいて採点処理が行なわれ、取得された採点結果によって採点コンテンツデータを作成する採点コンテンツデータ作成手段とを備える、
オンライン試験システム。
【請求項３】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介してサーバから配信された試験コンテンツデータに対応して発声された解答内容を入力する発声解答内容入力手段と、前記入力した解答内容を音声データとして記録して解答コンテンツデータを作成する解答コンテンツデータ作成手段とを備え、
前記サーバは、
抽出された受験者の個人情報及び受験者が受験する試験を特定するための情報を記憶する手段と、
受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む試験コンテンツデータを、ネットワークを介して受験端末に配信する試験コンテンツデータ配信手段と、
受験端末で作成された音声データを含む解答コンテンツデータを、ネットワークを介して受験端末から集信する解答コンテンツデータ集信手段と、
前記集信した解答コンテンツデータを、ネットワークを介して採点のために配信する解答コンテンツデータ配信手段と、
受験者データベースに記憶されている全受験者の氏名，住所，電子メールアドレス等の個人情報と、受験する試験の種類を特定する情報とを、演算処理して受験者及び試験の種類を特定する手段とを備え、
前記試験管理サーバは、
試験管理をするサーバであって、
試験コンテンツデータベースに記憶されている試験コンテンツデータを、前記試験の種類の条件に基いて、演算処理して受験端末に配信する試験コンテンツデータを抽出する試験コンテンツデータ抽出手段と、
試験コンテンツデータを、ネットワークを介して受験端末に配信する前記試験コンテンツデータ配信手段と、
サーバにより作成された採点コンテンツデータを受験者に提供する採点コンテンツデータ配信手段とを備え、
前記採点サーバは、
採点をするサーバであって、
ネットワークを介して受験端末から集信した前記解答コンテンツデータを表示・再生する表示・再生手段と、
ネットワークを介して受験端末から集信した音声データを含む解答コンテンツデータと、前記試験コンテンツデータの解答データとに基づいて採点処理が行われ、取得された採点結果によって採点コンテンツデータを作成する採点コンテンツデータ作成手段とを備える、
オンライン試験システム。
【請求項４】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介して受験会場サーバから配信された試験コンテンツデータに対応して発声された解答内容を入力する発声解答内容入力手段と、前記入力した解答内容を音声データとして記録して解答コンテンツデータを作成する解答コンテンツデータ作成手段とを備え、
前記受験会場サーバは、
受験会場毎に設置され、
ネットワークを介して、受験端末と、試験管理サーバ及び／又は採点サーバと接続され、
受験会場毎に抽出された受験者の個人情報及び受験会場で実施される受験者が受験する試験を特定するための情報を記憶する手段と、
受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む試験コンテンツデータを、ネットワークを介して受験端末に配信する問題コンテンツデータ配信手段と、
受験端末で作成された音声データを含む解答コンテンツデータを、ネットワークを介して受験端末から集信する解答コンテンツデータ集信手段と、
前記集信した解答コンテンツデータを、ネットワークを介して採点サーバに配信する解答コンテンツデータ配信手段とを備え、
前記試験管理サーバは、
受験者データベースに記憶されている全受験者の氏名，住所，電子メールアドレス等の個人情報と、受験する試験の種類を特定する情報とを、演算処理して受験者及び試験の種類を特定する手段と、
試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、
試験コンテンツデータを、ネットワークを介して受験会場サーバに配信する試験コンテンツデータ配信手段と、
採点サーバにより作成された採点コンテンツデータを受験者に提供する採点コンテンツデータ配信手段とを備え、
前記採点サーバは、
ネットワークを介して受験端末から集信した前記解答コンテンツデータを表示・再生する表示・再生手段と、
ネットワークを介して受験端末から集信した音声データを含む解答コンテンツデータと、前記試験コンテンツデータの解答データとに基づいて採点処理が行われ、取得された採点結果によって採点コンテンツデータを作成する採点コンテンツデータ作成手段とを備える、
オンライン試験システム。
【請求項５】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介してサーバから配信された試験コンテンツデータに対応して解答した状況を撮像する解答状況撮像手段と、前記撮像した内容を動画データとして記録して解答コンテンツデータを作成する解答コンテンツデータ作成手段とを備え、
前記サーバは、
抽出された受験者の個人情報及び受験者が受験する試験を特定するための情報を記憶する手段と、
受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む試験コンテンツデータを、ネットワークを介して受験端末に配信する試験コンテンツデータ配信手段と、
受験端末で作成された動画を含む解答コンテンツデータを、ネットワークを介して受験端末から集信する解答コンテンツデータ集信手段と、
前記集信した解答コンテンツデータを、ネットワークを介して採点のために配信する解答コンテンツデータ配信手段と、
受験者データベースに記憶されている全受験者の氏名，住所，電子メールアドレス等の個人情報と、受験する試験の種類を特定する情報とを、演算処理して受験者及び試験の種類を特定する手段とを備え、
前記試験管理サーバは、
試験管理をするサーバであって、
試験コンテンツデータベースに記憶されている試験コンテンツデータを、前記試験の種類の条件に基いて、演算処理して受験端末に配信する試験コンテンツデータを抽出する試験コンテンツデータ抽出手段と、
試験コンテンツデータを、ネットワークを介して受験端末に配信する前記試験コンテンツデータ配信手段と、
サーバにより作成された採点コンテンツデータを受験者に提供する採点コンテンツデータ配信手段とを備え、
前記採点サーバは、
採点をするサーバであって、
ネットワークを介して受験端末から集信した前記解答コンテンツデータを表示・再生する解答コンテンツデータ表示・再生手段と、
ネットワークを介して受験端末から集信した動画を含む解答コンテンツデータと、前記解答コンテンツデータの解答データとに基づいて採点処理が行なわれ、取得された採点結果によって採点コンテンツデータを作成する採点コンテンツデータ作成手段とを備える、
オンライン試験システム。
【請求項６】
受験会場サーバと試験管理サーバと採点サーバとを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介して受験会場サーバから配信された試験コンテンツデータに対応して解答した状況を撮像する解答状況撮像手段と、前記撮像した内容を動画データとして記録して解答コンテンツデータを作成する解答コンテンツデータ作成手段とを備え、
前記受験会場サーバは、
受験会場毎に設置され、
ネットワークを介して、受験端末と、試験管理サーバ及び／又は採点サーバと接続され、
受験会場毎に抽出された受験者の個人情報及び受験会場で実施される受験者が受験する試験を特定するための情報を記憶する手段と、
受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む試験コンテンツデータを、ネットワークを介して受験端末に配信する問題コンテンツデータ配信手段と、
受験端末で作成された動画を含む解答コンテンツデータを、ネットワークを介して受験端末から集信する解答コンテンツデータ集信手段と、
前記集信した解答コンテンツデータを、ネットワークを介して採点サーバに配信する解答コンテンツデータ配信手段とを備え、
前記試験管理サーバは、
受験者データベースに記憶されている全受験者の氏名，住所，電子メールアドレス等の個人情報と、受験する試験の種類を特定する情報とを、演算処理して受験者及び試験の種類を特定する手段と、
試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、
試験コンテンツデータを、ネットワークを介して受験会場サーバに配信する試験コンテンツデータ配信手段と、
採点サーバにより作成された採点コンテンツデータを受験者に提供する採点コンテンツデータ配信手段とを備え、
前記採点サーバは、
ネットワークを介して受験端末から集信した前記解答コンテンツデータを表示・再生する解答コンテンツデータ表示・再生手段と、
ネットワークを介して受験端末から集信した動画を含む解答コンテンツデータと、前記解答コンテンツデータの解答データとに基づいて採点処理が行なわれ、取得された採点結果によって採点コンテンツデータを作成する採点コンテンツデータ作成手段とを備える、
オンライン試験システム。
【請求項７】
受験会場サーバは、
受験会場毎に抽出された受験者の個人情報及び受験会場で実施される受験者が受験する試験を特定するための情報を、会場用受験者データベースとして記憶する手段と、
受験端末から受験者により入力される受験票に記載されている情報に基いて、前記記憶する手段により記憶された会場用受験者データを演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む試験コンテンツデータを、ネットワークを介して受験端末に配信する問題コンテンツデータ配信手段と、
受験端末で作成された解答コンテンツデータを、ネットワークを介して受験端末から集信する解答コンテンツデータ集信手段とを備えた、
請求項１ないし請求項６に記載のオンライン試験システム。
【請求項８】
前記解答コンテンツデータ作成手段は、
前記試験コンテンツデータ内に含まれている解答選択肢を選択・入力する入力手段と、
前記入力手段により入力された内容をＯＭＲによる処理が可能な画像データとして保存する画像データ保存手段とを有し、
前記採点コンテンツデータ作成手段は、
前記保存された画像データから、ＯＭＲによる処理により前記入力された内容を読み取る機能と、前記読み取られ入力された内容と前記試験コンテンツデータに対応する解答データとに基づいて採点処理を行う機能とを有する、請求項１ないし７のいずれかに記載のオンライン試験システム。
【請求項９】
前記解答コンテンツデータ作成手段は、
解答を示す文字や記号等を手書きにより入力する入力手段と、
前記入力手段により入力された内容をＯＣＲによる処理が可能な画像データとして保存する画像データ保存手段とを有し、
前記採点コンテンツデータ作成手段は、
前記保存された画像データから、ＯＣＲによる処理により前記入力された内容を読み取る機能と、前記読み取られ入力された内容と前記試験コンテンツデータに対応する解答データとに基づいて採点処理を行う機能とを有する、請求項１ないし７のいずれかに記載のオンライン試験システム。
【請求項１０】
前記採点コンテンツデータ作成手段は、電子メールで配信可能なデータを作成するデータ作成手段及び／又は受験した試験に合格したことを証明する書類を印刷することができる印刷データを作成する印刷データ作成手段を含み、
入力された試験管理サーバの受験者データベースを検索・抽出して、受験者のメールアドレスを検索するメールアドレス検索手段と、
前記採点コンテンツデータを前記受験者の電子メールアドレスに送信する電子メールアドレス送信手段とを有する、請求項１ないし請求項９のいずれかに記載のオンライン試験システム。
【手続補正２】
【補正対象書類名】明細書
【補正対象項目名】００１９
【補正方法】変更
【補正の内容】
【００１９】
図１は、本発明にかかるオンライン試験システムの一実施形態を示す図解図である。以下図２乃至図１１を参照しながらオンライン試験システム１０のハードウェア構成について説明する。
【手続補正３】
【補正対象書類名】明細書
【補正対象項目名】００２０
【補正方法】変更
【補正の内容】
【００２０】
オンライン試験システム１０は、図１に示すように、受験端末１２と受験会場サーバ４２と試験管理サーバ６２と採点サーバ８２とを含む。受験端末１２は、配信された試験コンテンツデータを閲覧・ヒアリングしながら受験者が解答コンテンツデータを作成するための端末である。受験端末１２は、図２に示すようにＣＰＵ１４を有する。ＣＰＵ１４は、受験端末１２において各種処理を行うときに演算処理を行う中央演算処理装置である。
また、ＣＰＵ１４にはＲＯＭ１６が接続されている。ＲＯＭ１６は、受験端末１２起動時に実行する基本入出力処理プログラムを格納するためのメモリである。さらに、ＣＰＵ１４にはＲＡＭ１８が接続されている。ＲＡＭ１８は、ＣＰＵ１４において、各種演算処理を実行するとき使用するプログラムやデータを一時的に格納するためのメモリである。
【手続補正４】
【補正対象書類名】明細書
【補正対象項目名】００２２
【補正方法】変更
【補正の内容】
【００２２】
ＣＰＵ１４には、画像処理部２４が接続されている。画像処理部２４は、ＣＰＵ１４の演算処理の結果に基づいて画面表示データを生成するものである。画像処理部２４には、ディスプレイ２６が接続されている。ディスプレイ２６は、画像処理部２４で生成された画像表示データに基いて試験コンテンツデータを表示画面として表示する。
【手続補正５】
【補正対象書類名】明細書
【補正対象項目名】００２３
【補正方法】変更
【補正の内容】
【００２３】
ＣＰＵ１４には記憶装置２８が接続されている。記憶装置２８は、ＣＰＵ１４が各種処理を実行するときに使用するプログラムやデータを記憶する。また、記憶装置２８はＣＰＵ１４が演算処理により生成したデータを記憶する。記憶装置２８に記憶されるアプリケーションとしては、図３に示すように図示しないＯＳ（operation system）の他に、受験アプリケーション２８ａが記憶されている。受験アプリケーション２８ａは、後述する受験会場サーバ４２から配信された試験コンテンツデータに含まれるテキストデータ，静止画データおよび動画データをディスプレイ２６において可視化する。また、受験アプリケーション２８ａは試験コンテンツデータに含まれる音声データや動画データに含まれる音声を後述する音声再生部３６で再生する。さらに、受験アプリケーション２８ａは受験者がカメラ２２や後述する入力装置３２等を用いて入力した解答内容に基づいて解答コンテンツデータを生成し記憶装置２８に記憶する。
【手続補正６】
【補正対象書類名】明細書
【補正対象項目名】００２７
【補正方法】変更
【補正の内容】
【００２７】
なお、受験端末１２は受験者数に応じて複数設置され、受験者が受験する試験に応じた内容の試験コンテンツデータが適宜配信される。上述した受験申込み端末１２は、パーソナルコンピュータ，ワークステーションに受験アプリケーション２８ａをインストールすることで同様な構成とすることが可能である。
【手続補正７】
【補正対象書類名】明細書
【補正対象項目名】００２８
【補正方法】変更
【補正の内容】
【００２８】
受験会場サーバ４２は、ネットワーク２００に接続されている受験端末１２に、試験コンテンツデータを配信する。また、受験端末１２で作成された解答コンテンツデータを集信し採点サーバ８２に送信する。受験会場サーバ４２は、図４に示すようにＣＰＵ４４を含む。ＣＰＵ４４は、受験会場サーバ４２において各種処理を行うとき演算処理を行う中央演算処理装置である。ＣＰＵ４４には、ＲＯＭ４６が接続されている。ＲＯＭ４６は、受験会場サーバ４２の起動時に実行する基本入出力処理プログラムを格納するためのメモリである。また、ＣＰＵ４６にはＲＡＭ４８が接続されている。ＲＡＭ４８は、ＣＰＵ４４において各種演算処理を実行するとき使用するプログラムやデータを一時的に格納するためのメモリである。
【手続補正８】
【補正対象書類名】明細書
【補正対象項目名】００３３
【補正方法】変更
【補正の内容】
【００３３】
試験コンテンツデータ５４ｃは、後述する試験管理サーバ６２に記憶されている試験コンテンツデータベース７４ｂから試験の種類毎に抽出されたデータである。なお、試験コンテンツデータ５４ｃは受験会場で実施される試験の種類に応じた内容の試験コンテンツデータ５４ｃが複数試験管理サーバ６２から配信される。試験コンテンツデータ５４ｃに含まれるデータとしては、問題を示す文字・記号を記録したテキストデータや、試験官が問題を発声した音声を記録した音声データやビデオ信号から作成された動画データが含まれる。
【手続補正９】
【補正対象書類名】明細書
【補正対象項目名】００５５
【補正方法】変更
【補正の内容】
【００５５】
引き続いて、オンライン試験システム１０の動作について説明する。なお、図１２は、オンライン試験システムの動作を示すフローチャート図である。
【手続補正１０】
【補正対象書類名】明細書
【補正対象項目名】００７４
【補正方法】変更
【補正の内容】
【００７４】
【図１】本発明にかかるオンライン試験システムの一実施形態を示す図解図である。
【図２】受験端末を示すブロック図である。
【図３】記憶装置に記憶されている受験アプリケーションを示す図解図である。
【図４】受験会場サーバを示すブロック図である。
【図５】記憶装置に記憶されている各種アプリケーション等を示す図解図である。
【図６】会場用受験者データベースの内容を示す図解図である。
【図７】試験管理サーバを示すブロック図である。
【図８】記憶装置に記憶されている各種アプリケーション等を示す図解図である。
【図９】受験者データベースの内容を示す図解図である。
【図１０】採点サーバを示すブロック図である。
【図１１】記憶装置に記憶されている各種アプリケーション等を示す図解図である。
【図１２】オンライン試験システムの動作を示すフローチャート図である。
【図１３】解答状況を示す図解図である。
【図１４】解答状況を示す他の図解図である。